【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
特定方向に並べて配置される複数の撮像部を構成する撮像部であって光軸が表示部の表示面と直交する第１撮像部と、
前記複数の撮像部を構成する撮像部であって光軸が前記第１撮像部の光軸方向から所定角だけずれるように配置される第２撮像部と、
前記特定方向と前記表示部の長手方向とが略一致する状態では、前記第１撮像部および前記第２撮像部のそれぞれに撮像動作を行わせ、前記特定方向と前記表示部の長手方向とが略垂直となる状態では、前記第２撮像部の撮像動作を停止させて前記第１撮像部のみに撮像動作を行わせる第１動作、または、前記第２撮像部の撮像動作により出力された画像データを表示または記録の対象として用いずに、前記第１撮像部の撮像動作により出力された画像データのみを表示または記録の対象として用いる第２動作の何れかを行わせる制御部と
を具備する撮像装置。
【請求項２】
前記第１撮像部および前記第２撮像部を備える第１の筐体と、
前記表示部を備える第２の筐体と、
前記第１撮像部および前記第２撮像部が配置される前記第１の筐体の面の反対側の面と、前記表示部が配置される前記第２の筐体の面の反対側の面とが対向するように、前記第１の筐体と前記第２の筐体とを回動可能に連結する回動部材と、
前記第１の筐体に対する前記第２の筐体の回動状態を検出することにより前記特定方向と前記表示部の長手方向との略一致状態または略垂直状態を検出する検出部と
をさらに具備する請求項１記載の撮像装置。
【請求項３】
特定方向に並べて配置される複数の撮像部を構成する撮像部であって光軸が表示部の表示面と直交する第１撮像部と、
前記複数の撮像部を構成する撮像部であって光軸が前記第１撮像部の光軸方向から所定角だけずれるように配置される第２撮像部と、
前記表示部が略水平となる状態では、前記第１撮像部および前記第２撮像部のそれぞれに撮像動作を行わせ、前記表示部が略垂直となる状態では、前記第２撮像部の撮像動作を停止させて前記第１撮像部のみに撮像動作を行わせる第１動作、または、前記第２撮像部の撮像動作により出力された画像データを表示または記録の対象として用いずに、前記第１撮像部の撮像動作により出力された画像データのみを表示または記録の対象として用いる第２動作の何れかを行わせる制御部と
を具備する撮像装置。
【請求項４】
前記特定方向において１つの前記第１撮像部の光軸に対して２つの前記第２撮像部が線対称に配置される請求項１乃至３の何れかに記載の撮像装置。
【請求項５】
被写体の特定方向を長手方向とする第１の撮像画像と、前記特定方向に直交する直交方向を長手方向とする撮像画像であって前記第１の撮像画像に含まれる被写体の前記直交方向の一方に隣接する被写体を含む第２の撮像画像と、前記直交方向を長手方向とする撮像画像であって前記第１の撮像画像に含まれる被写体の前記直交方向の他方に隣接する被写体を含む第３の撮像画像とのそれぞれを互いに異なる撮像素子により生成する撮像部と、
撮像装置の状態を検出する検出部と、
前記撮像部により生成される前記第１乃至３の撮像画像のうち表示または記録の対象となる対象画像の範囲を前記検出された状態に基づいて決定する制御部と
を具備する撮像装置。
【請求項６】
前記撮像部を備える第１の筐体と、
前記対象画像を表示する表示部を備える第２の筐体と、
前記第１の筐体と前記第２の筐体とを回動可能に連結する回動部材とをさらに具備し、
前記検出部は、前記撮像装置の状態として前記第１の筐体に対する前記第２の筐体の回動状態を検出する
請求項５記載の撮像装置。
【請求項７】
前記検出部は、前記撮像装置の状態として前記表示部の長手方向と前記第１の撮像画像を生成する第１の撮像素子の長手方向とが略平行となる第１の特定状態を検出し、
前記制御部は、前記第１の特定状態が検出された場合には前記第１の撮像画像のみを前記対象画像として用いることを決定する
請求項６記載の撮像装置。
【請求項８】
前記制御部は、前記第１の特定状態が検出された場合には前記第１の撮像画像の全てを前記対象画像として用いることを決定する請求項７記載の撮像装置。
【請求項９】
前記検出部は、前記撮像装置の状態として前記表示部の長手方向と直交する直交方向と前記第１の撮像画像を生成する第１の撮像素子の長手方向とが略平行となる第２の特定状態を検出し、
前記制御部は、前記第２の特定状態が検出された場合には前記第１乃至３の撮像画像を前記対象画像として用いることを決定する
請求項６記載の撮像装置。
【請求項１０】
前記制御部は、前記第２の特定状態が検出された場合には前記第１の撮像画像の一部と前記第２および３の撮像画像とを合成して生成される合成画像を前記対象画像として用いることを決定する請求項９記載の撮像装置。
【請求項１１】
前記回動部材は、前記第１の筐体の一の面と前記第２の筐体の一の面とが対向するように連結し、
前記第１の筐体の一の面の反対側の面には、前記撮像部を構成する各撮像素子のそれぞれに対応するレンズ群が並べて配置され、
前記第２の筐体の一の面の反対側の面には、前記表示部が備えられている
請求項６記載の撮像装置。
【請求項１２】
前記回動部材は、前記表示部における表示面と前記第１の撮像画像を生成する第１の撮像素子に対応する前記レンズ群に係る光軸方向とが略垂直となるように前記第１の筐体および前記第２の筐体を連結する請求項１１記載の撮像装置。
【請求項１３】
前記第１の撮像画像の一部と前記第２および３の撮像画像とを合成して合成画像を生成する画像合成部をさらに具備し、
前記制御部は、前記検出された状態が特定状態である場合には前記対象画像として前記合成画像を用いることを決定する
請求項５記載の撮像装置。
【請求項１４】
前記画像合成部は、前記合成画像として略長方形の画像を生成する請求項１３記載の撮像装置。
【請求項１５】
前記制御部は、前記検出された状態に基づいて前記撮像部を構成する複数の撮像素子を用いて行う複眼撮像動作と前記第１の撮像画像を生成する第１の撮像素子のみを用いて行う単眼撮像動作とを切り替えて前記対象画像の範囲を決定する請求項５記載の撮像装置。
【請求項１６】
前記制御部は、前記単眼撮像動作に切り替えた場合には前記第２および３の撮像画像を生成する撮像素子の動作を停止させる請求項１５記載の撮像装置。
【請求項１７】
前記制御部は、前記複眼撮像動作に切り替えた場合には前記複眼撮像動作に所定の周波数のクロックを使用し、前記単眼撮像動作に切り替えた場合には前記単眼撮像動作に前記所定の周波数よりも低い周波数のクロックを使用することを決定する請求項１５記載の撮像装置。
【請求項１８】
前記制御部は、前記第１の筐体に対する前記第２の筐体の回動状態が特定状態である場合には前記対象画像を回転処理させて前記表示部に表示させる請求項６記載の撮像装置。
【請求項１９】
被写体の特定方向を長手方向とする第１の撮像画像と、前記特定方向に直交する直交方向を長手方向とする撮像画像であって前記第１の撮像画像に含まれる被写体の前記直交方向の一方に隣接する被写体を含む第２の撮像画像と、前記直交方向を長手方向とする撮像画像であって前記第１の撮像画像に含まれる被写体の前記直交方向の他方に隣接する被写体を含む第３の撮像画像とのそれぞれを互いに異なる撮像素子により生成する撮像部と、
撮像範囲の変更を指示する指示操作を受け付ける操作受付部と、
前記撮像部により生成される前記第１乃至３の撮像画像のうち表示または記録の対象となる対象画像の範囲を前記受け付けられた指示操作に基づいて決定する制御部と
を具備する撮像装置。
【請求項２０】
撮像装置の状態を検出する検出手順と、
被写体の特定方向を長手方向として第１の撮像素子により生成される第１の撮像画像と、前記特定方向に直交する直交方向を長手方向とする撮像画像であって前記第１の撮像画像に含まれる被写体の前記直交方向の一方に隣接する被写体を含むように第２の撮像素子により生成される第２の撮像画像と、前記直交方向を長手方向とする撮像画像であって前記第１の撮像画像に含まれる被写体の前記直交方向の他方に隣接する被写体を含むように第３の撮像素子により生成される第３の撮像画像とのうち表示または記録の対象となる対象画像の範囲を前記検出された状態に基づいて決定する制御手順と
を具備する撮像装置の制御方法。
【請求項２１】
撮像装置の状態を検出する検出手順と、
被写体の特定方向を長手方向として第１の撮像素子により生成される第１の撮像画像と、前記特定方向に直交する直交方向を長手方向とする撮像画像であって前記第１の撮像画像に含まれる被写体の前記直交方向の一方に隣接する被写体を含むように第２の撮像素子により生成される第２の撮像画像と、前記直交方向を長手方向とする撮像画像であって前記第１の撮像画像に含まれる被写体の前記直交方向の他方に隣接する被写体を含むように第３の撮像素子により生成される第３の撮像画像とのうち表示または記録の対象となる対象画像の範囲を前記検出された状態に基づいて決定する制御手順と
をコンピュータに実行させるプログラム。
【手続補正２】
【補正対象書類名】明細書
【補正対象項目名】００６４
【補正方法】変更
【補正の内容】
【００６４】
図４（ａ）には、回動部材１０１側が上側となるように、第１の筐体１１０の長手方向を垂直方向と一致させた場合における配置構成例を示す。具体的には、撮像素子１３４が中央に配置され、撮像素子１３４の両側に撮像素子１３５および１３６が配置される。また、中央に配置される撮像素子１３４については、その長手方向が配列方向と直交する方向と一致するように配置される。一方、撮像素子１３４の両側に配置される撮像素子１３５および１３６については、その長手方向が配列方向と一致するように配置される。また、撮像素子１３４乃至１３６における中心位置が同一平面上となるように配置される。すなわち、配列方向において、撮像素子１３５および１３６が横長に配置されるとともに、撮像素子１３４が縦長に配置される。また、図４（ａ）では、各画素を読み出すことが可能な画素データ読出可能領域４００乃至４０２を撮像素子１３４乃至１３６内に長方形で模式的に示す。例えば、撮像素子１３４により、被写体の特定方向を長手方向とする第１の撮像画像が生成される。また、撮像素子１３５により、その特定方向に直交する直交方向を長手方向とし、第１の撮像画像に含まれる被写体の直交方向の一方に隣接する被写体を含む第２の撮像画像が生成される。また、撮像素子１３６により、直交方向を長手方向とし、第１の撮像画像に含まれる被写体の直交方向の他方に隣接する被写体を含む第３の撮像画像が生成される。このように、本発明の第１の実施の形態では、中央の撮像素子１３４のアスペクト比（横／縦）を、その両側に配置されている撮像素子１３５および１３６のアスペクト比よりも小さくする。これにより、例えば、撮像素子１３４のみを用いて縦長画像を生成する場合でも、十分な解像度を維持することができる。一方、撮像素子１３４乃至１３６を用いて生成される広角画像（例えば、パノラマ画像）については、撮像素子１３４の画枠を有効活用することができる。
【手続補正３】
【補正対象書類名】明細書
【補正対象項目名】０３８０
【補正方法】変更
【補正の内容】
【０３８０】
図４９（ｂ）には、撮像系への電源供給およびクロック供給を遮断させずに、撮像素子１３４乃至１３６内のクロックを生成するための回路の動作を停止させる場合における回路構成例を示す。この例では、図１２に示す逓倍器／分周器３９１、３９２のうちの逓倍器８１８を例にして示す。なお、この例で示す逓倍器８１８は、撮像素子１３５および１３６の逓倍器であるものとする。ここで、信号線８１９は、ＤＳＰ２００からのクロック信号の信号線であり、信号線８２０は、ＤＳＰ２００からの撮像オン／オフ信号の信号線である。また、信号線８２１は、逓倍後のクロック信号の信号線である。例えば、単眼撮像動作が選択された場合には、ＤＳＰ２００が信号線８２０の信号を「Ｌ」信号とする。これにより、撮像素子１３５および１３６内の逓倍器が停止される（図５０に示す制御方法３）。